【手続補正書】
【提出日】平成17年7月14日(2005.7.14)
【手続補正１】
【補正対象書類名】特許請求の範囲
【補正対象項目名】全文
【補正方法】変更
【補正の内容】
【特許請求の範囲】
【請求項１】
第１の中心軸線を中心とする第１の中央開口部を有する第１の基板；
第１の基板の一方の表面に形成された第１の信号層であって、第２の中心軸線を中心とする螺旋形となっている、第１の信号層；
第３の中心軸線を中心とする第２の中央開口部を有する第２の基板；
第２の基板の一方の表面に形成された第２の信号層であって、第４の中心軸線を中心とする螺旋形となっている、第２の信号層；および
第５の中心軸線を有するハブ
を含み、
第１の基板の第１の中央開口部の第１の中心軸線が、第１の信号層の第２の中心軸線と実質的に同軸上に整列しており、第２の基板の第２の中央開口部の第３の中心軸線が、第２の信号層の第４の中心軸線と実質的に同軸上に整列しており、第１の基板、第２の基板およびハブが、第１の信号層の第２の中心軸線、第２の信号層の第４の中心軸線およびハブの第５の中心軸線が実質的に同軸となるように一体に結合されている、光ディスク。
【請求項２】
第１の基板および第２の基板の厚さが実質的に同じである、請求項１に記載の光ディスク。
【請求項３】
第１の基板の厚さが第２の基板の厚さよりも小さい、請求項１に記載の光ディスク。
【請求項４】
第１の基板の厚さが約０．０５ｍｍ〜約０．２ｍｍであり、第２の基板の厚さが約０．３ｍｍ以上である、請求項３に記載の光ディスク。
【請求項５】
ハブが磁気材料を含んで成る、請求項１に記載の光ディスク。
【請求項６】
ハブが磁気感受性材料を含んで成る、請求項１に記載の光ディスク。
【請求項７】
信号層が、相変化材料を含む記録可能な材料を含んで成る、請求項１に記載の光ディスク。
【請求項８】
第１の中心軸線を中心とする第１の中央開口部を有する第１の基板を形成すること；
第２の中心軸線を中心とする螺旋形となっている第１の信号層であって、第１の基板の第１の中央開口部の第１の中心軸線が、第１の信号層の第２の中心軸線と実質的に同軸上に整列している第１の信号層を、第１の基板上に形成すること；
第３の中心軸線を中心とする第２の中央開口部を有する第２の基板を形成すること；
第４の中心軸線を中心とする螺旋形となっている第２の信号層であって、第２の基板の第２の中央開口部の第３の中心軸線が、第２の信号層の第４の中心軸線と実質的に同軸上に整列している第２の信号層を、第２の基板上に形成すること； 
第５の中心軸線を有するハブを形成すること；ならびに
第１の基板、第２の基板、およびハブを、第１の信号層の第２の中心軸線、第２の信号層の第４の中心軸線およびハブの第５の中心軸線が実質的に同軸となるように、一体に組み立てること
を含む、光ディスクの信号中心軸を光ディスクのハブの中心軸と同軸上に整列させる方法。
【請求項９】
第１の基板および第２の基板の厚さが実質的に同じである、請求項８に記載の方法。
【請求項１０】
第１の基板の厚さが第２の基板の厚さよりも小さい、請求項８に記載の方法。
【請求項１１】
第１の基板の厚さが約０．０５ｍｍ〜約０．２ｍｍであり、第２の基板の厚さが約０．３ｍｍ以上である、請求項１０に記載の方法。
【請求項１２】
ハブが磁気材料を含んで成る、請求項８に記載の方法。
【請求項１３】
ハブが磁気感受性材料を含んで成る請求項８に記載の方法。
【請求項１４】
信号層が、相変化材料を含む記録可能な材料を含んで成る、請求項８に記載の方法。
【請求項１５】
第１の中心軸線を中心とする第１の中央開口部を有する第１の基板；
第１の基板の一方の表面に形成された第１のデータ層であって、第２の中心軸線を中心とする螺旋形となっている、第１のデータ層；
第３の中心軸線を中心とする第２の中央開口部を有する第２の基板；
第２の基板の一方の表面に形成された第２のデータ層であって、第４の中心軸線を中心とする螺旋形となっている、第２のデータ層；および
第５の中心軸線を有するハブ
を含み、
第１の基板の第１の中央開口部の第１の中心軸線が、第１のデータ層の第２の中心軸線と実質的に同軸上に整列しており、第２の基板の第２の中央開口部の第３の中心軸線が、第２のデータ層の第４の中心軸線と実質的に同軸上に整列しており、第１の基板、第２の基板およびハブが、第１のデータ層の第２の中心軸線、第２のデータ層の第４の中心軸線およびハブの第５の中心軸線が実質的に同軸となるように一体に結合されている、データストレージ・ディスク。
【請求項１６】
第１の基板および第２の基板の厚さが実質的に同じである、請求項１５に記載のデータストレージ・ディスク。
【請求項１７】
第１の基板の厚さが第２の基板の厚さよりも小さい、請求項１５に記載のデータストレージ・ディスク。
【請求項１８】
第１の基板の厚さが約０．０５ｍｍ〜約０．２ｍｍであり、第２の基板の厚さが約０．３ｍｍ以上である、請求項１７に記載のデータストレージ・ディスク。
【請求項１９】
ハブが磁気材料を含んで成る、請求項１５に記載のデータストレージ・ディスク。
【請求項２０】
ハブが磁気感受性材料を含んで成る、請求項１５に記載のデータストレージ・ディスク。
【請求項２１】
データ層が、相変化材料を含む記録可能な材料を含んで成る、請求項１５に記載のデータストレージ・ディスク。
【手続補正２】
【補正対象書類名】明細書
【補正対象項目名】００１８
【補正方法】変更
【補正の内容】
【００１８】
（実施形態２）
図３Ａおよび図３Ｂは、本発明の実施形態２に基づく、分解された及び組み立てられた例示的な光ディスク３００の断面図をそれぞれ示している。光ディスク３００は、保護層３１６ａ−ｂがそれぞれ上側および下側信号層３１０ａ−ｂを被覆していることを除いては、光ディスク２００と同じである。
【手続補正３】
【補正対象書類名】明細書
【補正対象項目名】００１９
【補正方法】変更
【補正の内容】
【００１９】
（実施形態３）
図４Ａは、本発明の実施形態３に基づく、分解された例示的な光ディスク４００の断面図を示している。光ディスク４００は、上側中央開口部４０４ａを有するディスク形状の上側基板４０２ａを含んで成る。例示した態様において、上側基板４０２ａの厚さは約０．３ｍｍよりも大きい。上側中央開口部４０４ａは中心軸線ＣOAを有する。上側基板４０２ａはさらに、上側基板４０２ａの下側表面に形成された上側信号層４１０ａを含む。上側信号層４１０ａは、中心軸線ＣSAを中心として螺旋を描いている。
【手続補正４】
【補正対象書類名】明細書
【補正対象項目名】００２５
【補正方法】変更
【補正の内容】
【００２５】
（実施形態４）
図５Ａは、本発明の実施形態４に基づく、分解された例示的な光ディスク５００の断面図を示す。光ディスク５００は、上側部分５０４ａ−１および下側部分５０４ａ−２を有する上側中央開口部５０４ａを有する、ディスク形状の上側基板５０２を含んで成る。例示的な実施形態において、上側部分５０４ａ−１の直径は、上側中央開口部５０４ａの下側部分５０４ａ−２の直径よりも小さい。上側中央開口部５０４ａは、中央軸線ＣOAを有する。例示的な実施形態においてはまた、上側基板５０２ａの厚さは約０．３ｍｍよりも大きい。上側基板５０２ａはさらに、上側基板５０２ａの下側表面に形成された上側信号層５１０ａを含んで成る。上側信号層５１０ａは、中心軸線ＣSAを中心として螺旋を描いている。